(57)【要約】【課題】外部装置から取得する情報に利用者が示されていなくても、その情報に対して利用者を示す利用者情報に基づく処理が実行される情報処理装置及びプログラムを提供する。【解決手段】利用者情報記憶部４０が、情報の取得先を示す取得先情報に関連付けて、利用者を示す利用者情報を記憶する。情報取得部４２が、情報を取得する。利用者情報関連付け部４４が、情報取得部４２により取得される情報に、この情報の取得先を示す取得先情報に関連付けて利用者情報記憶部４０に記憶されている利用者情報を関連付ける。処理実行部４６が、情報取得部４２により取得される情報に対して、利用者情報関連付け部４４によりこの情報に関連付けられる利用者情報に基づく処理を実行する。【選択図】図４
2010073096.tif 000002
【特許請求の範囲】
【請求項１】
情報の取得先を示す取得先情報に関連付けて、利用者を示す利用者情報を記憶する利用者情報記憶手段と、
情報を取得する情報取得手段と、
前記情報取得手段により取得される情報に、当該情報の取得先を示す取得先情報に関連付けて前記利用者情報記憶手段に記憶されている利用者情報を関連付ける利用者情報関連付け手段と、
前記情報取得手段により取得される情報に対して、前記利用者情報関連付け手段により当該情報に関連付けられる利用者情報に基づく処理を実行する処理実行手段と、
を含むことを特徴とする情報処理装置。
【請求項２】
前記処理の実行要求を利用者から受け付ける実行要求受付手段、をさらに含み、
前記処理実行手段が、前記実行要求に応じて前記処理を実行する、
ことを特徴とする請求項１に記載の情報処理装置。
【請求項３】
前記処理実行手段が、前記処理の実行対象となる情報に関連付けられる利用者情報が示す利用者と、前記実行要求の要求元の利用者と、の関係に基づく条件を満足する場合に、前記実行要求に応じて前記処理を実行する、
ことを特徴とする請求項２に記載の情報処理装置。
【請求項４】
前記実行要求受付手段が前記実行要求を受け付ける際に、前記処理の実行対象となる情報に関連付けられる利用者情報が示す利用者と、前記実行要求の要求元の利用者と、の関係に基づく条件を満足する場合は、前記処理実行手段による前記処理の実行を抑制する処理実行抑制手段、をさらに含む、
ことを特徴とする請求項２又は３に記載の情報処理装置。
【請求項５】
情報の取得先を示す取得先情報に関連付けて、利用者を示す利用者情報を利用者情報記憶手段に記憶させる手段、
情報を取得する情報取得手段、
前記情報取得手段により取得される情報に、当該情報の取得先を示す取得先情報に関連付けて前記利用者情報記憶手段に記憶されている利用者情報を関連付ける利用者情報関連付け手段、
前記情報取得手段により取得される情報に対して、前記利用者情報関連付け手段により当該情報に関連付けられる利用者情報に基づく処理を実行する処理実行手段、
としてコンピュータを機能させることを特徴とするプログラム。
【発明の詳細な説明】
【技術分野】
【０００１】
本発明は、情報処理装置及びプログラムに関する。
【背景技術】
【０００２】
情報を取得して、その情報に基づいてその情報の送信者を特定する情報処理装置が存在する。特許文献１には、通信回線からファクシミリ通信制御手段により画像データを取得したときに、その画像データから文字パターン認識処理により発信者データを取得して、この発信者データを記憶手段に記憶・格納して管理する情報処理装置が開示されている。
【特許文献１】特開平１０−２８２１５号公報
【発明の開示】
【発明が解決しようとする課題】
【０００３】
本発明は、外部装置から取得する情報に利用者を示す情報が含まれているか否かに関わらず、その情報に対して利用者を示す利用者情報に基づく処理が実行される情報処理装置及びプログラムを提供することを目的とする。
【課題を解決するための手段】
【０００４】
請求項１に記載の発明は、情報処理装置であって、情報の取得先を示す取得先情報に関連付けて、利用者を示す利用者情報を記憶する利用者情報記憶手段と、情報を取得する情報取得手段と、前記情報取得手段により取得される情報に、当該情報の取得先を示す取得先情報に関連付けて前記利用者情報記憶手段に記憶されている利用者情報を関連付ける利用者情報関連付け手段と、前記情報取得手段により取得される情報に対して、前記利用者情報関連付け手段により当該情報に関連付けられる利用者情報に基づく処理を実行する処理実行手段と、を含むこととしたものである。
【０００５】
請求項２に記載の発明は、請求項１に記載の情報処理装置であって、前記処理の実行要求を利用者から受け付ける実行要求受付手段、をさらに含み、前記処理実行手段が、前記実行要求に応じて前記処理を実行することとしたものである。
【０００６】
請求項３に記載の発明は、請求項２に記載の情報処理装置であって、前記処理実行手段が、前記処理の実行対象となる情報に関連付けられる利用者情報が示す利用者と、前記実行要求の要求元の利用者と、の関係に基づく条件を満足する場合に、前記実行要求に応じて前記処理を実行することとしたものである。
【０００７】
請求項４に記載の発明は、請求項２又は３に記載の情報処理装置であって、前記実行要求受付手段が前記実行要求を受け付ける際に、前記処理の実行対象となる情報に関連付けられる利用者情報が示す利用者と、前記実行要求の要求元の利用者と、の関係に基づく条件を満足する場合は、前記処理実行手段による前記処理の実行を抑制する処理実行抑制手段、をさらに含むこととしたものである。
【０００８】
請求項５に記載の発明は、プログラムであって、情報の取得先を示す取得先情報に関連付けて、利用者を示す利用者情報を利用者情報記憶手段に記憶させる手段、情報を取得する情報取得手段、前記情報取得手段により取得される情報に、当該情報の取得先を示す取得先情報に関連付けて前記利用者情報記憶手段に記憶されている利用者情報を関連付ける利用者情報関連付け手段、前記情報取得手段により取得される情報に対して、前記利用者情報関連付け手段により当該情報に関連付けられる利用者情報に基づく処理を実行する処理実行手段、としてコンピュータを機能させることとしたものである。
【発明の効果】
【０００９】
請求項１，５に記載の発明によれば、外部装置から取得する情報に利用者が示されていなくても、その情報に対して利用者を示す利用者情報に基づく処理が実行される。
【００１０】
請求項２に記載の発明によれば、処理実行手段により実行される処理が利用者により制御される。
【００１１】
請求項３に記載の発明によれば、実行要求受付手段が受け付ける実行要求に応じて処理を実行するか否かが、処理の実行対象となる情報に関連付けられている利用者情報が示す利用者と、実行要求の要求元の利用者と、の関係に基づいて判断される。
【００１２】
請求項４に記載の発明によれば、実行要求受付手段が受け付ける実行要求に応じて処理実行手段による処理の実行を抑制するか否かが、処理の実行対象となる情報に関連付けられている利用者情報が示す利用者と、実行要求の要求元の利用者と、の関係に基づいて判断される。
【発明を実施するための最良の形態】
【００１３】
以下、本発明の実施形態について図面に基づき詳細に説明する。
【００１４】
図１のネットワーク構成図に例示するように、本実施形態における情報処理システム１０は、情報処理装置１２と、複数の取得先装置１４（１４−１〜１４−ｎ）と、複数の利用者端末（クライアント）１６（１６−１〜１６−ｎ）を含んで構成される。情報処理装置１２と、取得先装置１４と、クライアント１６とは、ローカル・エリア・ネットワーク（ＬＡＮ）などのネットワーク１８に接続されており、情報処理装置１２と取得先装置１４、及び、情報処理装置１２とクライアント１６とは、通信されるようになっている。
【００１５】
図１に例示する取得先装置１４は、例えば、ファイルサーバや、ファクシミリなどであり、ＣＰＵ等の制御装置、ハードディスクなどの記憶装置、ネットワークボード等の通信装置などを備えている。そして、本実施形態では、取得先装置１４が備える記憶装置に文書情報２０が記憶されている（図２参照）。図２は、本実施形態に係る文書情報２０のデータ構造の一例を示す図である。図２に例示するように、本実施形態に係る文書情報２０は、コンテンツ情報２２と、属性情報２４と、を含む。
【００１６】
コンテンツ情報２２は、例えば、文書の内容などを示す情報であり、具体的には、例えば、ファクシミリである取得先装置１４が受信した情報に基づいて生成される画像（より具体的には、例えば、ＴＩＦＦフォーマットやＪＰＥＧフォーマットの画像）や、ファイルサーバである取得先装置１４が受信するテキストファイルの内容を示す情報などを示している。属性情報２４は、コンテンツ情報２２に関連付けられる属性を示す情報である。属性情報２４は、本実施形態では、例えば、文書の識別子である文書ＩＤ２６や、文書の名称を示す名称情報２８や、取得先装置１４が文書情報２０を受信した日時や文書情報２０を生成した日時を示す日時情報３０、などを含む。
【００１７】
本実施形態では、具体的には、例えば、ファイルサーバである取得先装置１４が備える制御装置が、利用者からアップロードされる文書情報２０を取得して、ファイルサーバである取得先装置１４が備える記憶装置に出力する。あるいは、例えば、ファクシミリである取得先装置１４が備える制御装置が、利用者から送信される文書情報２０を受信して、ファクシミリである取得先装置１４が備える記憶装置に出力する。
【００１８】
図１に例示するクライアント１６は、例えば、ＣＰＵ等の制御装置、ハードディスク等の記憶装置、ディスプレイ等の出力装置、キーボード、マウス等の入力装置、ネットワークボード等の通信装置を備えた公知のパーソナルコンピュータにより構成されている。また、クライアント１６には公知のＷｅｂブラウザがインストールされている。
【００１９】
図３は、本実施形態に係る情報処理装置１２のハードウェア構成を例示する図である。
【００２０】
情報処理装置１２は、制御部３２、記憶部３４、通信部３６を含んで構成される。制御部３２、記憶部３４、通信部３６は、バス３８を介して接続される。
【００２１】
制御部３２はＣＰＵ等のプログラム制御デバイスであり、情報処理装置１２にインストールされるプログラムに従って動作する。本実施形態では、情報処理装置１２には、Ｗｅｂアプリケーションであるプログラムがインストールされている。
【００２２】
なお、情報処理装置１２には、Ｗｅｂサーバプログラムもインストールされている。そのため、クライアント１６においてＷｅｂブラウザを起動して、そこから上記Ｗｅｂサーバプログラムにアクセスすることにより、各種画面がクライアント１６に備えられたディスプレイ等の出力装置にＷｅｂブラウザを介して表示されるようになっている。
【００２３】
記憶部３４は、ＲＡＭ等の記憶素子やハードディスクなどである。記憶部３４には、制御部３２によって実行されるプログラムなどが記憶される。また、記憶部３４は、制御部３２のワークメモリとしても動作する。
【００２４】
通信部３６は、例えば、ネットワークインタフェースなどであり、制御部３２から入力される指示に従って、ネットワーク１８を介して、クライアント１６などへ情報を送信する。また、この通信部３６は、ネットワーク１８を介して受信される情報を制御部３２に出力する。
【００２５】
図４は、本実施形態に係る情報処理装置１２により実現される機能の一例を示す機能ブロック図である。図４に例示するように、本実施形態に係る情報処理装置１２は、機能的には、利用者情報記憶部４０、情報取得部４２、利用者情報関連付け部４４、処理実行部４６、実行要求受付部４８、処理実行抑制部５０、を含むものとして機能する。これらの要素のうち、利用者情報記憶部４０は記憶部３４を主として実現される。また、これらの要素のうち、情報取得部４２、利用者情報関連付け部４４、処理実行部４６、実行要求受付部４８、処理実行抑制部５０、は制御部３２を主として実現される。これらの要素は、コンピュータである情報処理装置１２にインストールされたプログラムを、情報処理装置１２に含まれるＣＰＵ等の制御部３２で実行することにより実現されている。なお、このプログラムは、例えば、ＣＤ−ＲＯＭ、ＤＶＤ−ＲＯＭなどのコンピュータ可読な情報伝達媒体を介して、あるいは、インターネットなどの通信ネットワークを介して情報処理装置１２に供給される。
【００２６】
利用者情報記憶部４０は、情報の取得先を示す取得先情報５２に関連付けて、利用者を示す利用者情報５４を記憶する（図５参照）。そして、情報取得部４２は情報を取得する。情報取得部４２は、本実施形態では、具体的には、例えば、取得先装置１４から文書情報２０を取得する。なお、情報取得部４２は、取得先装置１４が備える記憶装置に対してアクセスして、文書情報２０を取得するようにしてもよい。また、情報取得部４２は、取得先装置１４から送信される、取得先情報５２に関連付けられる文書情報２０を取得するようにしてもよい。
【００２７】
図５は、利用者情報５４のデータ構造の一例を示す図である。図５に例示するように、本実施形態では、利用者情報５４は、利用者ＩＤ５６と、メールアドレス情報５８と、を含んでいる。利用者ＩＤ５６は、情報処理システム１０の利用者の識別子である。そして、メールアドレス情報５８は、この利用者のメールアドレスを示している。そして、図５に例示するように、本実施形態では、利用者情報５４は、例えば、取得先装置情報６０と取得先ボックス情報６２とを含む取得先情報５２に関連付けられている。
【００２８】
本実施形態では、取得先装置情報６０は、例えば、情報取得部４２が取得する文書情報２０の取得先である取得先装置１４を示している。図５に例示する取得先装置情報６０は、取得先装置１４の識別番号を示している。具体的には、例えば、値が「１」である取得先装置情報６０は、第１取得先装置１４−１を示し、値が「１」である取得先装置情報６０は、第２取得先装置１４−２を示す。
【００２９】
そして、本実施形態では、文書情報２０は、取得先装置１４において、文書情報２０が管理される論理的な単位であるボックス（例えば、ファイルサーバにおけるフォルダのパスやＵＲＬなどに対応する）を示すボックス情報に関連付けて記憶されている。すなわち、本実施形態では、文書情報２０は、ボックスに分類されて管理されている。そして、本実施形態では、取得先情報５２に含まれる取得先ボックス情報６２は、例えば、各取得先装置１４におけるボックスの識別子である。
【００３０】
そして、本実施形態では、情報取得部４２は、予め定められた時間間隔で、各ボックスについて、そのボックスを示すボックス情報に関連付けて記憶されている文書情報２０を取得する。
【００３１】
なお、利用者情報５４は、図５に例示するように、取得先のボックスと関連付けられていても、取得先装置１４全体（すなわち、取得先装置１４で管理されている全てのボックス）と関連付けられてもよい。
【００３２】
利用者情報記憶部４０には、予め、図５に例示するような、取得先情報５２に関連付けられている利用者情報５４が記憶されていてもよい。また、情報処理装置１２の制御部３２が、例えば、情報処理システム１０の管理者などが作成した、クライアント１６から送信されるＸＭＬファイルや表情報などを取得して、このＸＭＬファイルに基づいて、図５に例示するような、取得先情報５２に関連付けられている利用者情報５４を生成して、利用者情報記憶部４０に出力するようにしてもよい。
【００３３】
利用者情報関連付け部４４は、情報取得部４２により取得される情報（本実施形態では、例えば、文書情報２０）に、この情報の取得先を示す取得先情報５２に関連付けて利用者情報記憶部４０に記憶されている利用者情報５４を関連付ける。利用者情報関連付け部４４は、本実施形態では、例えば、情報取得部４２が取得する文書情報２０に、この文書情報２０の取得先である取得先装置１４に対応する取得先装置情報６０及び取得先のボックスに対応する取得先ボックス情報６２を含む取得先情報５２に関連付けて利用者情報記憶部４０に記憶されている利用者情報５４を関連付ける。利用者情報関連付け部４４は、本実施形態では、例えば、図６に例示するように、文書情報２０に含まれる属性情報２４に利用者情報５４を追加することによって、文書情報２０と利用者情報５４とを関連付ける。図６に、利用者情報５４が追加された文書情報２０のデータ構造の一例を示す。
【００３４】
処理実行部４６は、情報取得部４２により取得される情報（本実施形態では、例えば、文書情報２０）に対して、この情報（例えば、文書情報２０）に関連付けられる利用者情報５４に基づく処理を実行する。本実施形態では、処理実行部４６は、具体的には、例えば、文書情報２０に含まれるコンテンツ情報２２（例えば、文書画像）のフォーマットを変換し、変換後のコンテンツ情報２２を印刷する。それとともに、処理実行部４６は、変換後のコンテンツ情報２２を添付したメールを、この文書情報２０に含まれるメールアドレス情報５８が示すメールアドレス宛に、メールサーバ（図示せず）経由で送信する。
【００３５】
なお、処理実行部４６が実行する処理は上述の処理に限定されない。具体的には、例えば、処理実行部４６は、文書画像に対して、イメージ加工（例えば、回転など）を行い、外部のファイルサーバ（図示せず）に対して、文書情報２０に含まれる利用者情報５４を用いて認証処理を実行して、このファイルサーバに、加工済のコンテンツ情報２２が含まれる文書情報２０を送信してもよい。また、利用者情報５４にＦＡＸ番号が含まれている場合には、処理実行部４６は、例えば、外部のＦＡＸに対して加工済の文書画像を送信するとともに、この文書画像を利用者情報５４に含まれるＦＡＸ番号宛てに送信するよう指示してもよい。このように、処理実行部４６は、利用者情報５４に含まれる出力先情報に基づいて、文書情報をこの出力先に応じた形式で出力する。
【００３６】
また、処理実行部４６は、例えば、文書画像に対してＯＣＲ（Optical Character Recognition）処理を実行して、文書画像に含まれる文字を認識して、認識された文字を示す文字情報を生成してもよい。また、処理実行部４６は、例えば、画像の解像度の変更処理を実行してもよい。また、処理実行部４６は、画像の上方向を認識した上で、画像を回転する加工を行う自動成立処理を実行してもよい。このように、処理実行部４６は、文書情報２０に対し様々な処理を行う。
【００３７】
実行要求受付部４８は、処理実行部４６により実行される処理の実行要求を利用者から受け付ける。そして、処理実行部４６が、実行要求受付部４８が利用者から受け付ける実行要求に応じて処理を実行するようにしてもよい。
【００３８】
処理実行抑制部５０は、実行要求受付部４８が処理の実行要求を受け付ける際に、処理の実行対象となる情報に関連付けられる利用者情報５４が示す利用者（例えば、文書情報２０に含まれる利用者情報５４が示す利用者）と、実行要求の要求元の利用者と、の関係に基づく条件を満足する場合は、処理実行部４６による処理の実行を抑制する。
【００３９】
具体的には、例えば、まず、実行要求受付部４８が、クライアント１６から、このクライアント１６を利用している利用者の識別子である利用者ＩＤ５６が関連付けられている、文書情報２０に含まれるコンテンツ情報２２の参照要求を受け付ける。そして、例えば、文書情報２０に含まれる利用者ＩＤ５６と、参照要求に関連付けられている利用者ＩＤ５６と、が対応していない場合は、処理実行抑制部５０が、処理実行部４６による処理を抑制する。一方、文書情報２０に含まれる利用者ＩＤ５６と、参照要求に関連付けられている利用者ＩＤ５６と、が対応している場合は、処理実行抑制部５０が、処理実行部４６による処理を抑制せず、処理実行部４６は、クライアント１６が備えるディスプレイなどの出力装置に、例えば、Ｗｅｂブラウザを介して、コンテンツ情報２２を表示出力する。なお、情報処理装置１２がディスプレイなどの出力部を備える場合は、この出力部にコンテンツ情報２２を出力するようにしてもよい。
【００４０】
なお、処理実行抑制部５０により、処理実行部４６による処理の実行可否を制御する代わりに、処理実行部４６が、処理の実行対象となる情報に関連付けられる利用者情報５４が示す利用者（例えば、文書情報２０に含まれる利用者情報５４が示す利用者）と、実行要求の要求元の利用者と、の関係に基づく条件を満足する場合に、実行要求に応じて処理を実行するようにしてもよい。具体的には、例えば、処理実行部４６が、上述の参照要求において、文書情報２０に含まれる利用者ＩＤ５６と、参照要求に関連付けられている利用者ＩＤ５６と、が対応している場合に、クライアント１６が備えるディスプレイなどの出力装置にコンテンツ情報２２を表示出力するようにしてもよい。
【００４１】
なお、処理実行抑制部５０が、実行要求受付部４８が処理の実行要求を受け付ける際に、処理の実行対象となる情報に関連付けられる利用者情報５４が示す利用者と、実行要求の要求元の利用者と、の関係に基づく条件を満足する場合に、処理実行部４６による処理の実行を抑制するとともに、処理実行部４６が、処理の実行対象となる情報に関連付けられる利用者情報５４が示す利用者と、実行要求の要求元の利用者と、の関係に基づく条件を満足する場合に、実行要求に応じて処理を実行するようにしてもよい。このとき、処理実行抑制部５０が処理実行部４６による処理の実行可否を制御する際の条件と、処理実行部４６が処理を実行するか否かを判断する際の条件と、が異なっていても構わない。
【００４２】
また、実行要求受付部４８が実行要求を受け付ける処理は、上述の処理に限定されない。例えば、上述の印刷処理の中止要求などを受け付けてもよい。また、例えば、文書情報２０に含まれる属性情報２４の変更要求や削除要求などを受け付けてもよい。そして、処理実行部４６が、上述のように、これらの処理の実行要求に関連付けられている利用者ＩＤ５６などと、処理の対象となる文書情報２０に含まれる利用者情報５４と、が対応する場合に、処理を実行するか否かを判断するようにしてもよい。また、処理実行抑制部５０が、これらの処理の実行要求に関連付けられている利用者ＩＤ５６などと、処理の対象となる文書情報２０に含まれる利用者情報５４と、が対応しない場合に、処理実行部４６による処理の実行を抑制するようにしてもよい。
【００４３】
上述のように、利用者情報関連付け部４４により文書情報２０に関連付けられる利用者情報５４が、処理実行部４６による処理においてパラメータとして利用されてもよい。また、利用者情報関連付け部４４により文書情報２０に関連付けられる利用者情報５４が、文書情報２０に対するアクセス権として利用されてもよい。もちろん、処理実行部４６における、利用者情報関連付け部４４により文書情報２０に関連付けられる利用者情報５４が利用される実施形態は、上述の実施形態には限定されない。
【００４４】
ここで、処理実行部４６が、文書情報２０に含まれるコンテンツ情報２２である文書画像の参照要求を受け付けた際の処理の一例を、図７に例示するフロー図を参照しながら説明する。
【００４５】
まず、実行要求受付部４８が、クライアント１６から、文書画像の参照要求を受け付ける（Ｓ１０１）。この参照要求には、参照要求の対象となる文書画像に対応する文書ＩＤ２６と、クライアント１６にログインしている利用者の利用者ＩＤ５６と、が含まれている。そして、処理実行抑制部５０が、Ｓ１０１に例示する処理で取得する文書ＩＤ２６に対応する文書情報２０に含まれる利用者ＩＤ５６を取得する（Ｓ１０２）。
【００４６】
そして、処理実行抑制部５０が、Ｓ１０１に例示する処理で受け付けた参照要求に含まれる利用者ＩＤ５６と、Ｓ１０２に例示する処理で取得した利用者ＩＤ５６と、が対応しているか否かを確認する（Ｓ１０３）。
【００４７】
ここで、２つの利用者ＩＤ５６が対応しない場合は（Ｓ１０３：Ｎ）、処理を終了する。２つの利用者ＩＤ５６が対応する場合は（Ｓ１０３：Ｙ）、処理実行部４６は、参照要求の対象となる文書画像をクライアント１６が備えるディスプレイなどの出力装置に、例えば、Ｗｅｂブラウザを介して出力する（Ｓ１０４）。
【００４８】
なお、本発明は上記実施形態にも限定されるものではない。
【００４９】
例えば、情報取得部４２が取得する文書情報２０に既に利用者情報５４が関連付けられている場合には、利用者情報関連付け部４４が、この取得した文書情報２０に利用者情報５４を関連付けなくてもよい。すなわち、利用者情報関連付け部４４は、情報取得部４２が取得する文書情報２０に既に含まれている利用者情報５４を優先するようにしてもよい。
【００５０】
また、例えば、情報取得部４２が取得する情報は文書情報２０に限定されない。
【００５１】
また、例えば、情報処理システム１０は、実行要求受付部４８や処理実行抑制部５０を有さない構成としてもよい。
【００５２】
また、情報処理装置１２は、一つの筐体により構成されていても、複数の筐体により構成されていてもよい。
【００５３】
また、情報処理装置１２にインストールされるプログラムの実装方式は、特に限定されない。例えば、情報処理装置１２にインストールされるプログラムはＷｅｂアプリケーションでも、クライアント・サーバアプリケーションでももちろん構わない。
【００５４】
なお、本明細書中に記載された具体的な数値や、具体的な文字列は例示であり、これらの数値や文字列に限定されない。
【図面の簡単な説明】
【００５５】
【図１】本発明の一実施形態に係る情報処理システムのネットワーク構成の一例を示す図である。
【図２】文書情報のデータ構造の一例を示す図である。
【図３】本発明の一実施形態に係る情報処理装置のハードウェア構成の一例を示す図である。
【図４】本発明の一実施形態に係る情報処理装置により実現される機能の一例を示す機能ブロック図である。
【図５】利用者情報のデータ構造の一例を示す図である。
【図６】文書情報のデータ構造の一例を示す図である。
【図７】本実施形態に係る情報処理システムで行われる処理の流れの一例を示すフロー図である。
【符号の説明】
【００５６】
１０  情報処理システム、１２  情報処理装置、１４  取得先装置、１６  利用者端末（クライアント）、１８  ネットワーク、２０  文書情報、２２  コンテンツ情報、２４  属性情報、２６  文書ＩＤ、２８  名称情報、３０  日時情報、３２  制御部、３４  記憶部、３６  通信部、３８  バス、４０  利用者情報記憶部、４２  情報取得部、４４  利用者情報関連付け部、４６  処理実行部、４８  実行要求受付部、５０  処理実行抑制部、５２  取得先情報、５４  利用者情報、５６  利用者ＩＤ、５８  メールアドレス情報、６０  取得先装置情報、６２  取得先ボックス情報。
【図１】
2010073096.tif 000003
【図２】
2010073096.tif 000004
【図３】
2010073096.tif 000005
【図４】
2010073096.tif 000006
【図５】
2010073096.tif 000007
【図６】
2010073096.tif 000008
【図７】
2010073096.tif 000009